(57)【要約】【課題】笠基材の開口部形状に対し、光源の出射口の大きさに合わせてアダプタを追加することにより、多種類のＬＥＤ照明装置を簡単に笠基材と一体化することが可能で、グレア角を深くできるためグレアを軽減でき、均一な光を遠くまで出射するＬＥＤ照明装置を提供する。【解決手段】ＬＥＤ照明装置は、光源を収納する放熱部と、一方の端部が拡開形成されるとともに内部に空間が区画形成され、空間側に壁面を有し、他方の端部に空間に臨む開口部を有する笠基材５１と、開口部に配置されるリング状のアダプタ６とを備える。放熱部の先端部分がアダプタ６の開口および開口部を通じて笠基材５１に対して挿入されて固定され、アダプタ６によって、放熱部の挿入前の開口部の大きさを可変することができる。【選択図】図４
2015109203.tif 000002
【特許請求の範囲】
【請求項１】
光源を収納する放熱部と、
一方の端部が拡開形成されるとともに内部に空間が区画形成され、前記空間側に壁面を有し、他方の端部に前記空間に臨む開口部を有する笠基材と、
前記開口部に配置されるリング状のアダプタとを備え、
前記放熱部の先端部分が前記アダプタの開口および前記開口部を通じて前記笠基材に対して挿入されて固定され、
前記アダプタによって、前記放熱部の挿入前の前記開口部の大きさを可変するようにしたことを特徴とするＬＥＤ照明装置。
【請求項２】
請求項１に記載されたＬＥＤ照明装置であって、
前記アダプタは、複数のアダプタを組み合わせて構成することができることを特徴とするＬＥＤ照明装置。
【請求項３】
請求項１または請求項２に記載されたＬＥＤ照明装置であって、
前記笠基材において中心軸を含む切断面で切断したときの壁面の断面形状は、少なくとも１以上のアール形状で形成されていることを特徴とするＬＥＤ照明装置。
【請求項４】
請求項３に記載されたＬＥＤ照明装置であって、
中心軸を含む切断面で切断したときの壁面の断面形状は、前記光源側において内側に向けて突き出たアール形状に、前記拡開形成側において外側に向けて突き出たアール形状に形成されていることを特徴とするＬＥＤ照明装置。
【請求項５】
請求項３に記載されたＬＥＤ照明装置であって、
中心軸を含む切断面で切断したときの壁面の断面形状は、前記光源側において内側に向けて突き出たアール形状に、前記拡開形成側において直線形状に形成されていることを特徴とするＬＥＤ照明装置。
【請求項６】
請求項１乃至請求項３に記載されたＬＥＤ照明装置であって、
前記壁面は、反射面で形成されていることを特徴とするＬＥＤ照明装置。
【請求項７】
請求項１乃至は請求項３に記載されたＬＥＤ照明装置であって、
前記放熱部および前記笠基材のそれぞれが外面に放熱フィンを有することを特徴とするＬＥＤ照明装置。
【発明の詳細な説明】
【技術分野】
【０００１】
本発明は、発光素子例えば発光ダイオード（以下、ＬＥＤ(Light Emitting Diode)と適宜称する）素子を光源に使用したＬＥＤ照明装置に係わり、特にＬＥＤ照明装置に光反射用の笠基材を備えたＬＥＤ照明装置に関するものである。
【背景技術】
【０００２】
近年、環境意識の高まりから、省電力化に優れたＬＥＤ素子を光源に使用したＬＥＤランプが盛んに用いられるようになってきた。特に最近は、省エネルギー機能（以下、「省エネ」と略記する）と経済性を考えて、既設の照明装置の配線と設置場所における被取付部の開口部をそのまま利用して、従来の照明装置をＬＥＤ照明装置に交換する需要が多くなってきている。しかし、従来の照明装置と同等能力のＬＥＤ照明装置と交換する場合、ＬＥＤ照明装置の照明能力が大きいため小型化されている。そこで、従来の開口部に対応させるために、光反射用の笠基材を利用して、従来の開口部に設置させることができるＬＥＤ照明装置が開発されている。
【０００３】
例えば、特許文献１には、一方の端部が拡開形成されるとともに内部に反射空間が区画形成され、反射空間側に反射面を有し、他方の端部に反射空間に臨んで光源を取付可能な笠基材と、この笠基材に多色成形により一体的に積層形成され光源の光を反射する反射層と、を備えた照明装置用の筐体が開示されている。
【０００４】
また、特許文献２には、取付バネを固定する保持部は、対向する一対の上下方向のガイドを有するとともに、各ガイドに係止部を有し、取付バネは、一端側にガイドに沿って移動自在に保持される差込部と、差込部の両側に形成され、それぞれガイドの係止部に係合する被係止部と、を有するとともに、他端側に壁面押圧部を有し、差込部が保持部に保持され、かつ、両側の被係止部が係止部に係合することで、取付バネは保持部に固定される埋込型照明器具が開示されている。
【０００５】
しかしながら、上記特許文献１、２では、各種光源の出射口の大きさに合わせて、笠基材や保持部の形状が作成されている。そのため、笠基材や保持部の共通化が難しい構造で、多種類の照明装置に対応することが難しくなっていた。
【０００６】
また、上記特許文献１では、笠基材と反射層が多色成形により一体的に積層成形され、笠基材が樹脂により構成されているので、笠基材による放熱性が劣る照明装置用の筐体となっていた。
【先行技術文献】
【特許文献】
【０００７】
【特許文献１】特許第５１９８１６５号公報
【特許文献２】特開２０１１−１９８５８２号公報
【発明の概要】
【発明が解決しようとする課題】
【０００８】
本発明の目的は、上記の問題点に鑑み、笠基材の開口部形状に対し、光源の出射口の大きさに合わせてアダプタを追加することにより、多種類の照明装置を簡単に笠基材と一体化することが可能で、笠基材の共通化を実施でき、グレア角を深くできるためグレアを軽減でき、均一な光を遠くまで出射するＬＥＤ照明装置を提供することにある。
【課題を解決するための手段】
【０００９】
本発明は、上記の課題を解決するための第１の手段として、光源を収納する放熱部と、
一方の端部が拡開形成されるとともに内部に空間が区画形成され、空間側に壁面を有し、他方の端部に空間に臨む開口部を有する笠基材と、開口部に配置されるリング状のアダプタとを備え、放熱部の先端部分がアダプタの開口および開口部を通じて笠基材に対して挿入されて固定され、アダプタによって、放熱部の挿入前の開口部の大きさを可変するようにしたことを特徴とするＬＥＤ照明装置を提供するものである。
【００１０】
本発明は、上記の課題を解決するための第２の手段として、上記第１の解決手段において、アダプタは、複数のアダプタを組み合わせて構成することができることを特徴とするＬＥＤ照明装置を提供するものである。
【００１１】
本発明は、上記の課題を解決するための第３の手段として、上記第１または第２の解決手段において、笠基材において中心軸を含む切断面で切断したときの壁面の断面形状は、少なくとも１以上のアール形状で形成されていることを特徴とするＬＥＤ照明装置を提供するものである。
【００１２】
本発明は、上記の課題を解決するための第４の手段として、上記第３の解決手段において、中心軸を含む切断面で切断したときの壁面の断面形状は、光源側において内側に向けて突き出たアール形状に、拡開形成側において外側に向けて突き出たアール形状に形成されていることを特徴とするＬＥＤ照明装置を提供するものである。
【００１３】
本発明は、上記の課題を解決するための第５の手段として、上記第３の解決手段において、前記壁面の中心軸を含む断面形状は、前記光源側において内側に向けて突き出たアール形状に、前記拡開形成側において直線形状に形成されていること壁面の中心軸を含む断面形状は、光源側において内側に向けて突き出たアール形状に、拡開形成側において外側に向けて突き出たアール形状に形成されていることを特徴とするＬＥＤ照明装置を提供するものである。
【００１４】
本発明は、上記の課題を解決するための第６の手段として、上記第１乃至第３の解決手段において、壁面は、反射面で形成されていることを特徴とするＬＥＤ照明装置を提供するものである。
【００１５】
本発明は、上記の課題を解決するための第７の手段として、上記第１乃至第３の解決手段において、放熱部および笠基材のそれぞれが外面に放熱フィンを有することを特徴とするＬＥＤ照明装置を提供するものである。
【発明の効果】
【００１６】
本発明によれば、上記のように、アダプタにより開口部を調整できる構成であるため、一つの笠基材で多種類の照明装置に対応することができ、さらに、アダプタは、複数のアダプタを組み合わせて構成することもできる実益がある。
【００１７】
また、本発明によれば、上記のように、笠基材の中心軸を含む切断面で切断したときの壁面の断面形状が、１以上のアール形状で形成されて、光源側が内側に向けて突き出たアール形状で、拡開形成側が外側に向けて突き出たアール形状で形成されて、壁面が反射面で形成されているため、出射された光が反射されて、グレア感を抑えた均一な光を出射することができる実益がある。
【００１８】
また、本発明によれば、上記のように、笠基材の中心軸を含む切断面で切断したときの壁面の断面形状が、１以上のアール形状で形成されて、光源側が内側に向けて突き出たアール形状で、拡開形成側が直線形状で形成されて、壁面が反射面で形成されているため、出射された光が反射されて、グレア感を抑えた均一な光を出射することができる実益がある。
【００１９】
また、本発明によれば、上記のように、放熱部および笠基材に放熱フィンを有しているため、ＬＥＤ素子の放熱ができ、ＬＥＤ素子を効率よく発光させることができる実益がある。
【図面の簡単な説明】
【００２０】
【図１】本発明のＬＥＤ照明装置の斜視図である。
【図２】本発明のＬＥＤ照明装置の断面図である。
【図３】本発明のＬＥＤ照明装置の天井面取付断面図である。
【図４】本発明のＬＥＤ照明装置の分解斜視図である。
【図５】本発明に用いるダウンライト照明器具の斜視図である。
【図６】本発明に用いるダウンライト照明器具の断面図である。
【図７】本発明に用いる放熱部材の斜視図である。
【図８】本発明に用いる放熱部材の断面図である。
【図９】本発明に用いるＬＥＤ基板の斜視図である。
【図１０】本発明に用いるＬＥＤ基板の上面図である。
【図１１】本発明に用いるレンズ部の斜視図である。
【図１２】本発明に用いるレンズ部の断面図である。
【図１３】本発明に用いる笠基材部の斜視図である。
【図１４】本発明に用いる笠基材部の断面図である。
【図１５】本発明に用いる笠基材の斜視図である。
【図１６】本発明に用いる笠基材の断面図である。
【図１７】本発明の変形例に用いる笠基材の断面図である。
【図１８】本発明に用いるアダプタの斜視図である。
【発明を実施するための形態】
【００２１】
以下に本発明の好適な実施の形態について、図面を参照しながら詳細に説明する。なお本実施形態は一例であり、これに限定されるものではない。
ＬＥＤ照明装置の一例として、ダウンライト照明器具を光源にして、笠基材を取り付けた場合について説明する。
【００２２】
（１．ＬＥＤ照明装置）
ＬＥＤ照明装置１００は、図１乃至図４に示すように、ダウンライト照明器具１と、反射面を有する笠基材５１により、構成されている。
光源となるダウンライト照明器具１は、ＬＥＤ素子３１が搭載されているＬＥＤ基板３と、ＬＥＤ基板３を放熱させる放熱部材２と、出射された光の方向を整えるレンズ４により、構成されている。
【００２３】
ＬＥＤ照明装置１００の笠基材５１は、図１６に示すように、一方の端面が拡開形成されるとともに内部に反射空間５１ａが区画形成され、反射空間５１ａ側に反射面５１ｂを有し、他方の端部に反射空間５１ａに臨んでダウンライト照明器具１が取付けられている。ダウンライト照明器具１に笠基材５１が取付けられて、ＬＥＤ照明装置１００となり、天井面７等の被取付部に固定され、別置きの電源装置から電源が供給されて、ＬＥＤ素子３１から光が出射される。
【００２４】
（２．ダウンライト照明器具）
図５と図６に示すように、ダウンライト照明器具１は、放熱フィン２１と放熱部２２からなる放熱部材２に、ＬＥＤ素子３１が搭載されたＬＥＤ基板３が絶縁シート３５を介して密着固定され、ＬＥＤ基板３を覆うようにレンズ４が固定されて、構成されている。ダウンライト照明器具１は、別置きの電源装置から電源が放熱部材２の外周端部に設けられたコード止め２３を通して供給されて、ＬＥＤ素子３１から光が出射される。本ダウンライト照明器具１は、放熱部材２にＬＥＤ基板３が密着されているので、熱放熱を効率良く行うことができ、ＬＥＤ素子３１を効率よく発光させることができる。
【００２５】
（２．−１  放熱部材）
図７と図８に示すように、放熱部材２は、アルミダイキャスト成形により高精度に作成されている。放熱部材２は、ヒートシンクを構成している放熱フィン２１とＬＥＤ基板３と密着させる放熱部２２が一体化されている。放熱部２２の下面中央部に、ＬＥＤ基板３に搭載されているＬＥＤ素子３１を効率よく放熱させるために、略円柱凹部形状の放熱凹部２２ａと、下面周縁部にレンズ４を嵌装させるための放熱周縁部２２ｂが設けられている。放熱凹部２２ａにＬＥＤ基板３を固定するための放熱基板固定孔２２ｃと、放熱部材２と笠基材５１を固定するための放熱笠固定孔２２ｅが設けられている。また、放熱周縁部２２ｂには、レンズ４を固定するための放熱レンズ固定孔２２ｄと、レンズ４の位置決めを行う放熱レンズ嵌装部２２ｇが設けられている。さらに、放熱周縁部２２ｂの外周から放熱凹部２２ａに向かって略凸形状の放熱コード溝２２ｆが設けられている。
【００２６】
（２．−２  ＬＥＤ基板）
図９と図１０に示すように、ＬＥＤ基板３は、略円盤状の片面に配線されたガラスコンポジット基板（ＣＥＨ−３）からなり、片面側にＬＥＤ素子３１が実装されている。ＬＥＤ基板３の外周には、ＬＥＤ基板３に接続されてＬＥＤ素子３１に電気を供給するコードを通すための配線溝３２と、レンズ４を放熱周縁部２２ｂに嵌装するための位置合わせピン４３が挿入される基板位置決め溝３４が設けられている。また、ＬＥＤ基板３には、ＬＥＤ基板３を図４に示すシリコン等の絶縁シート３５を介して放熱部材２の放熱凹部２２ａに固定するための基板固定孔３３が設けられている。
さらに、ＬＥＤ素子３１のＬＥＤ素子搭載面側に、高反射シートを貼合することや、高反射用樹脂を塗布することにより、さらに光取り出し効率の改善をすることができる。
【００２７】
なお、このＬＥＤ基板３に実装されるＬＥＤ素子３１としては、公知の種々のＬＥＤを用いることができる。本実施形態では、照明用の白色光を発光する高輝度タイプのＬＥＤ素子が用いられている。昼光色を発光する高輝度タイプのＬＥＤ素子を搭載したり、両方のＬＥＤ素子を搭載して調色が可能なＬＥＤ照明装置としてもよい。
【００２８】
（２．−３  レンズ）
図１１と図１２に示すように、レンズ４は、略円盤形状で  ポリカーボネート（ＰＣ）等の熱可塑性合成樹脂からなっている。レンズ４の構成は、ＬＥＤ素子３１の位置に合わせて位置しているコリメート部４１と、全面に拡散部４２とが二重構造で一体として構成されており、外周部に放熱部材２の放熱周縁部２２ｂと嵌装するための位置合わせピン４３と、位置決め凹部４５、固定するためのレンズ固定溝４４が設けられている。また、放熱部材２の放熱コード溝２２ｆに挿入されるコード止め２３を固定するためのコード押さえ部４６も、設けられている。
【００２９】
レンズ４は、ＬＥＤ照明装置が光を均一で遠くまで出射させるために、コリメートレンズと拡散板を組み合わせて構成している。コリメートレンズは、光を遠くまで届かせるために、平行状態になるように光学調整する機能を有している。拡散板は、光を均一に出射させるために、均一に光出射する機能を有している。このコリメートレンズと拡散板の機能を組み合わせて、光を均一で遠くまで出射させるＬＥＤ照明装置を構成している。
【００３０】
（２．−４  組立）
ダウンライト照明器具１の組立は、図４乃至図１２に示すように、放熱部材２の放熱凹部２２ａに絶縁シート３５を介してＬＥＤ基板３が、ネジにより基板固定孔３３と放熱基板固定孔２２ｃが固定される。つぎに、レンズ４は、位置合わせピン４３をＬＥＤ基板３の基板位置決め溝３４と、位置決め凹部４５を放熱レンズ嵌装部２２ｇと、それぞれ嵌装して、ネジによりレンズ固定溝４４と放熱レンズ固定孔２２ｄが固定される。ＬＥＤ基板３に電気を供給するコードは、コード止め２３で挟まれて、放熱部２２の放熱コード溝２２ｆに挿入される。その後にレンズ４が、放熱部２２に固定されると、レンズ４の外周に設けられているコード押さえ部４６により、固定される。以上により、ダウンライト照明器具１が、組み立てられる。
【００３１】
（３．笠基材部）
図１３と図１４に示すように、笠基材部５は、一方に拡開している笠基材５１と、笠基材部５を天井面７の開口部７１に固定するための固定バネ５３と、笠基材５１にダウンライト照明器具１を取り付けるためのアダプタ６で構成されている。
【００３２】
（３．−１  笠基材）
図１５と図１６に示すように、笠基材５１は、一方の端部は拡開形成されて拡開部となり、内部は出射された光が反射するための反射面５１ｂで、光の反射空間５１ａとなっている。他方の端部に反射空間５１ａに臨んでダウンライト照明器具１が、笠基材５１の笠開口部５１ｊに嵌装されて取付けられ、笠基材５１の内部には、光を反射する反射層を設けてある。笠基材５１は、精度よく作成することができるアルミダイキャスト成形により作成され、反射面５１ｂには、白色塗装又はアルミニウムを蒸着して、光が反射し易く放熱性が良い構成となっている。
【００３３】
笠基材５１の反射面５１ｂは、図１６に示すように、中心軸を含む切断面で切断したときの断面形状が、光出射方向に１以上のアール形状で形成されており、具体的には、笠基材５１の光源側を内側に向けて突き出たアール形状として光を拡散するようにした笠内側アール５１ｃと、笠基材５１の拡開形成側を外側に向けて突き出たアール形状として光を集向するようにした笠外側アール５１ｄを組合わせた形状に形成されている。これにより、出射された光が笠基材５１の反射面５１ｂで反射されて、グレア感を抑えた均一な光を出射することができる。
【００３４】
また、別の形状としては、笠基材５１の反射面５１ｂが、図１７に示すように、中心軸を含む切断面で切断したときの断面形状が、光出射方向に１以上のアール形状で形成されており、具体的には、笠基材５１の光源側を内側に向けて突き出たアール形状として光を拡散するようにした笠内側アール５１ｃと、笠基材５１の拡開形成側を直線形状として光を反射するようにした笠直線５１ｅを組合わせた形状に形成されている。これにより、出射された光が笠基材５１の反射面５１ｂで反射されて、グレア感を抑えた均一な光を出射することができる。
【００３５】
また、拡開形成側の外周には、天井面７に取り付けるためのフランジ部５１ｇと、固定バネ５３を取り付ける係止部５２と笠基材５１の放熱効率を良くするための笠放熱フィン５１ｆが設けられている。図１６に示すように、笠基材５１の反射空間５１ａと反対側には、笠基材５１と一体的に笠放熱フィン５１ｆが形成されており、この笠放熱フィン５１ｆの外周側は面取りされて形成されている。これにより、ＬＥＤ照明装置を天井面７等の被取付面に取付けるときに、被取付面にスムーズに挿入できる構造となり、被取付面への施工を行い易くすることができる。
さらに、笠基材５１の笠開口部５１ｊには、ダウンライト照明器具１またはダウンライト照明器具１を固定するためのアダプタ６を固定するための、笠固定部５１ｈが中央部に延出して、笠内側取付溝が５１ｋが設けられている。
【００３６】
図１５乃至図１７に示すように、略コの字状の係止部５２は、笠基材５１の拡開形成側外周にフランジ部５１ｇに沿って設けられている。係止部５２の外側には、図１３に示すように、固定バネ５３を固定するための係止孔５２ａと、両端部に固定バネ５３の位置決めをする凸形状の係止壁５２ｂが２箇所設けられている。
【００３７】
（３．−２  固定バネ）
笠基材部５の固定バネ５３は、ステンレス（ＳＵＳ）等の金属材料を使用して、打抜加工、プレス加工、折曲加工等によって作成される。固定バネ５３は、特に図１３に示すように、略長方形金属片を片方が短い略Ｖ字形状に加工し、短部側の端部に笠基材５１に固定するためのバネ固定孔５３ａが、長部側の端部に天井面７等で外部から供給される電源のケーブル等を固定するためのバネ取付穴５３ｂが形成されている。
【００３８】
（３．−３  アダプタ）
アダプタ６は、略リング形状でアルミダイキャスト成形により精度よく作成される。アダプタ６には、特に図１８に示すように、外側に笠基材５１と嵌装させる段差形状のアダプタ外側取付溝６２と、笠基材５１の笠固定部５１ｈに固定するアダプタ外側取付孔６３が形成されている。また、内側にダウンライト照明器具１の放熱部２２の放熱周縁部２２ｂと嵌合させる段差形状のアダプタ内側取付溝６４と、放熱部２２の放熱笠固定孔２２ｅに固定するアダプタ内側取付孔６５が形成されている。アダプタ６は、笠基材５１の内側から嵌合されて笠基材５１固定され、さらにアダプタ開口部６１にダウンライト照明器具１を嵌合させて構成される。
【００３９】
また、アダプタ６は、サイズの異なる複数のアダプタを組み合わせて一体化することでアダプタを構成できるように、アダプタ内側取付溝６４に、アダプタ外側取付溝６２を嵌装させて、アダプタ内側取付孔６５とアダプタ外側取付孔６３をネジで固定することにより一体化されて、別のサイズのアダプタも構成できる形状に作成されている。よって、アダプタ６により、自在に笠基材５１の笠開口部５１ｊとダウンライト照明器具１の放熱部材２を固定させることができる。
【００４０】
（３．−４  組立）
笠基材部５の組立は、特に図１３に示すように、笠基材５１の係止部５２に固定バネ５３を、ネジでバネ固定孔５３ａと係止孔５２ａで固定する。アダプタ６を笠基材５１の内側から挿入し、ネジで笠固定部５１ｈとアダプタ外側取付孔６３を固定する。
また、アダプタ６のサイズを、複数のアダプタが組み合わせられるようにサイズを変えて複数作成しておき、複数のアダプタを組み合わせることにより、光出射口の各種サイズのダウンライト照明器具１に対応することもできる。
【００４１】
（４．組立）
ＬＥＤ照明装置１００は、ダウンライト照明器具１と笠基材部５を組み合わせて構成されている。笠基材部５の内側からダウンライト照明器具１を挿入して、ネジでアダプタ内側取付孔６５と放熱笠固定孔２２ｅを固定する。
【００４２】
ＬＥＤ照明装置１００の天井面７への設置は、天井面７に天井開口部７１を設けて、商用電線に電源装置を接続して、電源装置からのケーブルをＬＥＤ照明装置１００のケーブルと接続する。ＬＥＤ照明装置１００のケーブルは、固定バネ５３のバネ取付穴５３ｂを利用して束線バンド等により固定する。その後、天井面７の被取付部に設けられている天井開口部７１に、固定バネ５３を手で天井開口部７１の大きさ以下に押さえて、天井開口部７１に押し込んで、特に図３に示すように、固定バネ５３により天井面７に固定される。これにより、ＬＥＤ照明装置１００は、ダウンライト照明器具１と笠基材部５を組み合わせて構成することで、光源を引っ込めてグレア角を深くできるためグレアを軽減することができる。
【００４３】
以上のように、本実施形態では、被取付部の開口部に合わせた笠基材を選択し、光源の出射口の大きさに合わせて筐体や器具本体の取付部分の形状に対し、アダプタを追加することにより、ＬＥＤ照明器具用の筐体およびこれを備えたＬＥＤ照明装置が構成されている。
したがって、多種類の照明器具に対応することが可能で、グレア角を深くできるためグレアを軽減する、均一な光を遠くまで出射するＬＥＤ照明装置の筐体およびこれを備えたＬＥＤ照明装置を提供できる。
【００４４】
（５．変形例）
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【００４５】
例えば、ダウンライト照明器具１に笠基材部５を組み合わせて、ＬＥＤ照明装置１００を構成した場合について説明したが、例えばスポットライト等のＬＥＤ照明器具と笠基材部５を組み合わせた場合等にも適用することが可能で、幅広くＬＥＤ照明装置に用いることができる。
また、アダプタ６の形状をアダプタ自身が開口の径を可変できる構成として、単体のアダプタにより被取付部の開口部に合わせることができる構造とすることもできる。
【産業上の利用可能性】
【００４６】
本発明は、ショールームやホール、更に、会議室や事務所の各居室等の天井面に沿って設置されるダウンライト等のＬＥＤ照明器具に広く適用することができる。
【符号の説明】
【００４７】
１：ダウンライト照明器具
２：放熱部材
２１：放熱フィン
２２：放熱部
２２ａ：放熱凹部
２２ｂ：放熱周縁部
２２ｃ：放熱基板固定孔
２２ｄ：放熱レンズ固定孔
２２ｅ：放熱笠固定孔
２２ｆ：放熱コード溝
２２ｇ：放熱レンズ嵌装部
２３：コード止め
３：ＬＥＤ基板
３１：ＬＥＤ素子
３２：配線溝
３３：基板固定孔
３４：基板位置決め溝
３５：絶縁シート
４：レンズ
４１：コリメート部
４２：拡散部
４３：位置合わせピン
４４：レンズ固定溝
４５：位置決め凹部
４６：コード押さえ部
５：笠基材部
５１：笠基材
５１ａ：反射空間
５１ｂ：反射面
５１ｃ：笠内側アール
５１ｄ：笠外側アール
５１ｅ：笠直線
５１ｆ：笠放熱フィン
５１ｇ：フランジ部
５１ｈ：笠固定部
５１ｊ：笠開口部
５１ｋ：笠内側取付溝
５２：係止部
５２ａ：係止孔
５２ｂ：係止壁
５３：固定バネ
５３ａ：バネ固定孔
５３ｂ：バネ取付穴
６：アダプタ
６１：アダプタ開口部
６２：アダプタ外側取付溝
６３：アダプタ外側取付孔
６４：アダプタ内側取付溝
６５：アダプタ内側取付孔
７：天井面
７１：天井開口部
１００：ＬＥＤ照明装置
【図１】
2015109203.tif 000003
【図２】
2015109203.tif 000004
【図３】
2015109203.tif 000005
【図４】
2015109203.tif 000006
【図５】
2015109203.tif 000007
【図６】
2015109203.tif 000008
【図７】
2015109203.tif 000009
【図８】
2015109203.tif 000010
【図９】
2015109203.tif 000011
【図１０】
2015109203.tif 000012
【図１１】
2015109203.tif 000013
【図１２】
2015109203.tif 000014
【図１３】
2015109203.tif 000015
【図１４】
2015109203.tif 000016
【図１５】
2015109203.tif 000017
【図１６】
2015109203.tif 000018
【図１７】
2015109203.tif 000019
【図１８】
2015109203.tif 000020